(57)【要約】【課題】  ユーザが選択した機能を操作可能になるまでの装置の起動時間を短縮する。【解決手段】  起動開始時に、ユーザからの初期化指定を受け付ける受け付け工程（Ｓ１０３）と、初期化指定された機能に対応する機能を初期化する初期化工程（Ｓ１０４）と、を実施する。【選択図】  図２
2008293087.tif 000002
【特許請求の範囲】
【請求項１】
初期化されることによって利用可能な状態になる機能を複数有する装置の起動方法であって、
前記装置の起動処理中に、初期化指定機能の情報の指定を受け付ける受け付け工程と、
前記初期化指定機能に対応する機能を初期化する初期化工程と、
を備えることを特徴とする起動方法。
【請求項２】
前記起動方法は、さらに前記初期化候補機能を前記装置の有する表示手段に表示する表示工程を備え、
前記受け付け工程では、前記初期化候補機能の中から指定された機能が前記初期化指定機能として受け付けられ、
前記初期化工程は、前記初期化候補機能の中で前記初期化指定機能に対応しない機能の初期化を省略することを特徴とする請求項１に記載の起動方法。
【請求項３】
前記受け付け工程は、外部コントローラに表示された初期化候補機能の中から指定された前記初期化指定機能の情報を受け付け、
前記初期化工程は、前記初期化候補機能の中で前記初期化指定機能に対応しない機能の初期化を省略することを特徴とする請求項１に記載の起動方法。
【請求項４】
前記受け付け工程では、複数の初期化指定機能の情報を受け付け可能であることを特徴とする請求項１乃至３いずれか１項に記載の起動方法。
【請求項５】
前記受け付け工程では、初期化開始の指示に応じて前記初期化工程に移行することを特徴とする請求項４に記載の起動方法。
【請求項６】
前記受け付け工程では、さらに前記初期化指定機能の受け付けた順序を記憶し、
前記初期化工程において、前記順序に従って初期化をすることを特徴とする請求項４又は５に記載の起動方法。
【請求項７】
前記受け付け工程は所定時間だけ実施され、該所定時間が経過すると受け付けを終了し、前記初期化工程に移行することを特徴とする請求項４乃至６のいずれか１項に記載の起動方法。
【請求項８】
前記受け付け工程は、受け付け延長が指示された場合、前記所定時間の経過後も前記初期化工程に移行せず、前記初期化指定機能の情報の受け付けを続けることを特徴とする請求項７に記載の起動方法。
【請求項９】
前記起動方法は、さらに前記初期化工程で初期化した初期化機能の情報を前記装置の有する記憶手段に更新記憶する初期化機能記憶工程を備え、
前記初期化工程では、前記受け付け工程で前記初期化指定機能の情報を新たに受け付けた場合に、前記初期化機能の情報を前記初期化機能記憶工程で更新記憶し、前記受け付け工程で前記初期化指定機能の情報を受け付けなかった場合に前記記憶手段に記憶されている前記初期化機能の情報が示す機能を初期化することを特徴とする請求項１乃至８のいずれか１項に記載の起動方法。
【請求項１０】
前記起動方法は、前記初期化指定機能の初期化の完了に応じて前記初期化指定機能を実行する実行工程を有することを特徴とする請求項１乃至９のいずれか１項に記載の起動方法。
【請求項１１】
初期化されることによって利用可能な状態になる機能を複数有する装置であって、
前記装置の起動処理中に実施され、指定した初期化指定機能の情報を受け付ける受け付け手段と、
前記初期化指定機能に対応する機能を初期化する初期化手段と、
を備えることを特徴とする装置。
【請求項１２】
初期化されることによって利用可能な状態になる機能を複数有する装置を起動するプログラムであって、
前記装置の起動処理中に実施され、指定した初期化指定機能の情報を受け付ける受け付け工程と、
前記初期化指定機能に対応する機能を初期化する初期化工程と、
をコンピュータに実行させることを特徴とするコンピュータ読み取り可能なプログラム。
【発明の詳細な説明】
【技術分野】
【０００１】
本発明は、初期化によって利用可能な状態になる機能を複数有する装置が起動する際に要する起動時間を短縮する方法に関する。
【背景技術】
【０００２】
コンピュータなどに代表される、初期化されることによって利用可能な状態になる機能を複数有する装置において、起動直後に全ての機能を使用可能な状態にするためには、起動処理時に全ての機能を初期化する必要がある。
【０００３】
しかし、この方法では機能が増えれば増えるほど初期化に要する時間、起動時間が長くなりユーザビリティが低下する恐れがある。
【０００４】
そこで、機器を構成する機能のうち、全てを起動時に初期化するのではなく、必要な機能だけを起動時に初期化する技術がある。
【０００５】
例えば、装置が起動した後に、予め初期化する機能を設定しておき、次回の装置起動時に初期化する機能の数を少なくすることで、起動時間を短縮する方法がある。（特許文献１）
【特許文献１】特開平０８−２８６９３６
【発明の開示】
【発明が解決しようとする課題】
【０００６】
しかしながら、ユーザが所望する機能を最初に初期化させるためには、特許文献１の技術では予め装置を起動した状態で初期化の設定をしておく必要がある。従って、初回の起動時に、ユーザが所望する機能を操作可能になるまでの起動処理時間（見掛けの起動時間）を短縮することは困難であった。またユーザは、次回装置を立ち上げた時に自身が使用する機能を予め設定しておく必要があるが、設定された機能とは異なる機能を使用したい場合、再設定および再起動を要してしまう。
【０００７】
特に、複数のユーザで装置を共用している場合、その装置を次回使用するのは、別のユーザであることが多いと考えられる。そうすると、ユーザ毎に使用する機能が異なる場面も多くなり、設定された機能とは異なる機能を使用することが、同一ユーザが使用し続ける場合より増える為、従来の起動時間短縮方法では対応が困難である。
【０００８】
そこで、本発明では装置の起動処理中に、ユーザが指定した機能を優先的に初期化することで、起動を開始してからユーザが使用したい機能を操作可能になるまでの起動処理時間（見掛けの起動時間）を短縮する技術を提供することを目的とする。
【課題を解決するための手段】
【０００９】
上記課題を解決するための本発明に係る代表的な構成は、初期化されることによって利用可能な状態になる機能を複数有する装置の起動方法であって、
前記装置の起動処理中に実施される、指定した初期化指定機能の情報を受け付ける受け付け工程と、
前記初期化指定機能に対応する機能を初期化する初期化工程と、を備えることを特徴とするものである。
【発明の効果】
【００１０】
本発明によれば、ユーザが使用したい機能に絞って初期化することが可能となり、起動を開始してからユーザが使用したい機能が使用可能になるまでの起動時間が短縮されるという効果が得られる。
【発明を実施するための最良の形態】
【００１１】
＜実施形態１＞
本発明の一実施形態を適用した装置の概略構成について、図１のブロック図を参照して説明する。
【００１２】
装置１００は、初期化を要する機能を複数有する装置である。ここで初期化とは、機能をユーザが利用可能な状態にする処理である。
【００１３】
本実施形態では装置１００としてＤＶＤドライブおよびハードディスクドライブ付き再生録画機を例に挙げて説明している。
【００１４】
Ｃｅｎｔｒａｌ  Ｐｒｏｃｅｓｓｉｎｇ  Ｕｎｉｔ（ＣＰＵ）１０１は、後述するフローに対応するプログラムを実行し、装置１００全体を制御する。Ｒａｎｄｏｍ  Ａｃｃｅｓｓ  Ｍｅｍｏｒｙ（ＲＡＭ）１０２は外部装置などから供給されるプログラムやデータを一時記憶するメモリである。Ｒｅａｄ  Ｏｎｌｙ  Ｍｅｍｏｒｙ（ＲＯＭ）１０３は変更を必要としないプログラムやパラメータを格納する不揮発性のメモリである。バス１０４は、各ユニットを通信可能に接続するシステムバスである。
【００１５】
入力インターフェース１０５はユーザの操作を受け、データを入力するポインティングデバイス、キーボード、リモコンなどの入力デバイスとのインターフェースである。出力インターフェース１０６は装置１００の保持するデータや供給されたデータを表示するためのモニタ、ＴＶなどのインターフェースである。
【００１６】
記憶装置１０７は装置１００に固定して設置されたハードディスクドライブ（ＨＤＤ）やメモリカードである。以下、本実施形態では記憶装置１０７がＨＤＤの場合を説明する。
【００１７】
ＤＶＤドライブ１０８は装置１００から着脱可能なＤｉｇｉｔａｌ  Ｖｅｒｓａｔｉｌｅ  Ｄｉｓｃ（ＤＶＤ）にデータを書き込む外部記憶装置である。一例でＤＶＤドライブを挙げたが、フレキシブルディスク（ＦＤ）、Ｃｏｍｐａｃｔ  Ｄｉｓｋ（ＣＤ）、等の光ディスク、磁気や光カード、ＩＣカード、メモリカードなどにデータを読み書きする外部記憶装置であってもよい。
【００１８】
デジタルチューナー１０９はデジタル放送をデコード可能なチューナーである。デジタルチューナー１０９を通じて受信されるデジタル放送は、ＨＤＤ１０７やＤＶＤドライブ１０８に記憶したり、出力インターフェース１０６を通じてモニタやＴＶに出力したりできる。
【００１９】
ＦｌａｓｈＲＯＭ１１０は装置１００に固定もしくは着脱可能な、書き換え可能な不揮発性の記憶媒体である。
【００２０】
起動処理時、後述する機能の中から、ユーザに対して初期化処理の候補となる機能（初期化候補機能）が決定される。装置１００の起動に際して常に初期化が必要な機能は、ユーザによる指定が必要ないため、初期化候補機能から外れる。
【００２１】
後述する実施形態に対応するプログラムはＲＯＭ１０３、ＨＤＤ１０７の少なくとも一方に格納されている。また、本実施形態では、装置１００の制御に必要なＯＳ（オペレーティングシステム）やアプリケーションソフトはＲＯＭ１０３とＦｌａｓｈＲＯＭ１１０の少なくとも一方からＲＡＭ１０２に展開され実行されるものとする。
【００２２】
本実施形態の説明においてＨＤＤ１０７はユーザが選択する候補（初期化候補機能）とする。仮にＯＳやユーザインターフェース用ソフトがＨＤＤ１０７から読み出される場合、ユーザにユーザインターフェースを表示する前にＨＤＤ１０７を初期化する必要が生じるため、ＨＤＤ１０７は初期化候補機能からは除外される。
【００２３】
また、近年ＲＡＭに展開せずともソフトウェアを実行する技術があるが、それを用いてソフトウェアが実行されてもよい。
【００２４】
図２は本実施形態における装置１００の起動方法のフローチャートである。本実施形態において、ユーザに表示される初期化候補機能はＨＤＤ１０７、ＤＶＤドライブ１０８、デジタルチューナー１０９とする。説明の簡略のため、それぞれの機能間で依存性はないものとする。
【００２５】
なお、初期化とは起動時に、各機能をユーザに利用可能な状態にするための処理であって、例えばハードディスクドライブを製品出荷時の状態にする処理（フォーマット）とは異なる。
【００２６】
装置１００の電源がＯＮにされたり、装置１００がリモートコントローラからの起動開始信号を受け付けたりして、起動処理が開始される。
【００２７】
ステップＳ１０１において、まず、ユーザが利用したい機能（以下、初期化指定機能）を前記初期化候補機能の中からユーザが指定するために、ユーザインターフェースに関する機能を初期化する。
【００２８】
初期化の処理として詳細には、ＣＰＵ１０１がＲＯＭ１０３もしくはＦｌａｓｈＲＯＭ１１０から初期化プログラムを読み出し、入力インターフェース１０５および出力インターフェース１０６を初期化する。初期化候補機能の選択肢をユーザインターフェースとしてユーザに表示しない場合、出力インターフェース１０６の初期化は必要ない。
【００２９】
但し、ユーザの利便性を考慮すると、初期化候補機能の選択肢をユーザインターフェースに表示するほうが好ましい。以降、本実施形態では初期化候補機能の選択肢をユーザインターフェースに表示するものとして説明する。
【００３０】
ステップＳ１０２において、ユーザインターフェースを表示する。ステップＳ１０３の受け付け工程において、ユーザは初期化候補機能の中から初期化したい機能を初期化指定機能として指定し、装置１００はユーザが指定した初期化指定機能の情報を受け付ける。ステップＳ１０２、ステップＳ１０３の例を図３と図４を用いて２種類示す。
【００３１】
図３では、装置１００の出力インターフェース１０６にテレビ２００が接続されていた場合、テレビ２００のユーザインターフェースに初期化指定機能の選択肢を表示する例を示している。
【００３２】
テレビ２００には初期化候補機能として、「ＤＶＤ再生」アイコン２０１、「ＨＤＤ再生」アイコン２０２、「デジタル放送視聴」アイコン２０３が表示されている。
【００３３】
ユーザがリモコンなどでアイコン２０１、２０２、２０３のどれかを選択すると、ステップＳ１０４に遷移する。
【００３４】
出力インターフェース１０６には、ユーザが選択したアイコンを、例えば色を変更して表示する、文字を太くする、点滅させる、などして、ユーザが選択した情報が装置１００で受信されたことを明示的に示す。なお、本実施形態では、ユーザが機能を１つ指定すると受け付け工程を完了し、初期化工程を開始する。
【００３５】
図４では、テレビ２００にユーザインターフェースを表示するのではなく、装置１００自体の表示パネルにユーザインターフェースを表示する例を示す。
【００３６】
図４において、装置１００の表示パネルに「ＤＶＤ再生」アイコン１２１、「ＨＤＤ再生」アイコン１２２、「デジタル放送視聴」アイコン１２３が表示される。アイコン１２１、１２２、１２３はユーザが指定可能な初期化候補機能を示している。
【００３７】
外部コントローラとしてのリモートコントローラ（以下、リモコン）３００には初期化候補機能として、「ＤＶＤ再生」ボタン３０１、「ＨＤＤ再生」ボタン３０２、「デジタル放送視聴」ボタン３０３が設定されている。ユーザが、初期化指定機能に対応するボタンを押すと、リモコン３００から装置１００にユーザが指定した初期化指定機能の情報が送信される。
【００３８】
装置１００はリモコン３００からの初期化指定機能の情報を受信し、ステップＳ１０４に遷移する。装置１００は受信時、表示パネルに表示したアイコン１２１〜１２３のうち、装置１００で受信した初期化指定機能に該当するアイコンを、色を変更して表示する、点滅させるなどして明示的に示すとユーザの指定が正常に行われた事が分かり利便性が良い。
【００３９】
以上図３と図４を用いて図示した受け付け工程の形態は一例である。例えば、図４のようにリモコンに初期化候補機能のボタンが設定されている場合、ユーザは初期化候補機能の中から初期化したい機能を指定することができる。ユーザインターフェースを表示しない時、リモコン３００のボタン３０１〜３０３の押下によって、装置１００が起動開始されるとしてもよい。この場合ステップＳ１０１、ステップＳ１０２は省略され、また、起動開始とユーザによる初期化指定機能の指定（もしくは受け付け工程）がほぼ同時に行われる。
【００４０】
ここで、図３と図４の例において「ＤＶＤ再生」をユーザが指定したとして説明を続ける。ステップＳ１０４において、ステップＳ１０３でユーザが指定した機能（初期化指定機能）と、初期化指定機能を使用するにあたって初期化が必要な機能を初期化する。ステップＳ１０３においてユーザが「ＤＶＤ再生」を選択したので、装置１００に内蔵されているＤＶＤドライブ１０８を初期化する。ＤＶＤドライブ１０８の初期化として具体的には、デバイスドライバの設定値（レジスタ）を初期化したり、ピックアップレンズの位置を初期位置に位置決めしたりする処理が含まれる。
【００４１】
ステップＳ１０４の処理を完了した時点で、ユーザが選択した機能（初期化指定機能）に対応する機能の初期化は済んでいるため、ユーザは選択した機能を利用可能な状態となっている。一方で、ステップＳ１０４の初期化工程で、初期化候補機能の中で初期化指定機能に関係しない機能の初期化を省略するため、ユーザが操作可能となるまでに初期化する機能の数を削減できる。
【００４２】
ステップＳ１０５において、ステップＳ１０４で初期化した機能を実行する。「ＤＶＤ再生」のように、それ以上ユーザに選択を要求する必要のない機能である場合、即座に実行することで体感の起動時間を短縮できるため、ユーザビリティが向上する。なおステップＳ１０５において自動実行する必要がない場合、ステップＳ１０５を省略して、処理を終了してもよい。
【００４３】
以上の構成により、ユーザが使用したい機能を使用するまでの起動時間（以下、見掛けの起動時間）が短縮されるという効果が得られる。また初期化候補機能がユーザインターフェースに表示されている場合、ユーザは容易に初期化指定機能を指定できる。
【００４４】
さらに、複数のユーザが装置を共用しユーザ毎に使用する機能が異なる場合、各ユーザの指定に応じて、見掛けの起動時間を短縮できるという効果を奏する。
【００４５】
＜実施形態２＞
実施形態１では、ユーザが初期化指定機能として指定できる機能は１つであった。本実施形態では、ユーザが複数の機能を初期化指定機能として指定可能な例を示す。
【００４６】
実施形態１と同一機能を有する部材には同一符号を付すとともに、構成的、機能的に変わらないものについてはその説明を省略する。
【００４７】
図５に、本実施形態におけるフローチャートを示す。
図５のステップＳ２０１〜Ｓ２０３は、図２のステップＳ１０１〜Ｓ１０３と同じ処理であるためここでは説明を省略する。
【００４８】
ステップＳ２０３でユーザが初期化指定機能を１つ指定した後、ステップＳ２０４に遷移する。ステップＳ２０４において、初期化開始をユーザから指示されたか判断する。指示されればＹＥＳとなり、ステップＳ２０５に遷移する。指示されなければＮＯとなり、ステップＳ２０３に戻る。ステップＳ２０３に戻ると、再度、ユーザは初期化指定機能を選択可能となる。
【００４９】
ステップＳ２０３およびステップＳ２０４の例を、図６と図７を用いて説明する。
【００５０】
図６では、装置１００がテレビ２００に接続され、テレビ２００にユーザインターフェースを表示する例を示している。前記実施形態１で用いた図３と、図６の違いは、「初期化実行」アイコン２０４である。図３においては、アイコン２０１、２０２、２０３のどれか１つを選択するとステップＳ１０４に遷移した。一方、図６においては、アイコン２０１、２０２、２０３の中で少なくとも１つを選択した後、「初期化実行」アイコン２０４をユーザが選択して、初めてステップＳ２０５に遷移する。
【００５１】
図６のように、ユーザが機能を選択する行為と初期化開始の行為を区別すると、ユーザは複数の機能を選択し初期化することが可能となる。
【００５２】
図７では、前記実施形態１の図４と同様に、装置１００自体の表示パネルにユーザインターフェースを表示する例を示す。
【００５３】
図４と図７との違いは、「初期化実行」ボタン３０４の有無である。
図７のように、リモコン３００にある、「ＤＶＤ再生」ボタン３０１、「ＨＤＤ再生」ボタン３０２、「デジタル放送視聴」ボタン３０３のうち初期化したいボタンを押し（複数可）、その後「初期化実行」ボタン３０４を押すことで、初期化処理を行うためステップＳ２０５に遷移する。
【００５４】
ここでは、図６もしくは図７を用いて「ＤＶＤ再生」と「デジタル放送視聴」が指定されたものとする。
【００５５】
ステップＳ２０５において、装置１００は、ステップＳ２０３においてユーザが指定した初期化指定機能と、初期化指定機能を使用するにあたって初期化が必要な機能を初期化する。
【００５６】
ステップＳ２０３においてユーザが「ＤＶＤ再生」と「デジタル放送視聴」を指定したので、装置１００に内蔵されているＤＶＤドライブ１０８とデジタルチューナー１０９を初期化する。必要ならばＣＰＵ１０１はＲＯＭ１０３もしくはＦｌａｓｈＲＯＭ１１０から初期化プログラムを読み出し、入力インターフェース１０５および出力インターフェース１０６を初期化する。
【００５７】
ステップＳ２０５の処理が完了した時点で、ユーザが選択した機能は初期化され、ユーザは、ステップＳ２０３において指定した機能をすぐに利用可能となる。一方で、ステップＳ２０５の初期化工程で、初期化候補機能の中で初期化指定機能に関係しない機能の初期化を省略するため、起動処理中に初期化する機能数を削減できる。
【００５８】
次にステップＳ２０６において、指定された機能を実行する。但し、指定された複数の機能を同時に実行する必要がない場合、ステップＳ２０６を省略して処理を終了してもよい。
【００５９】
また、ステップＳ２０３〜Ｓ２０４において、初期化指定機能を受け付けた順序を記憶し、ステップＳ２０５において受け付けた順序どおりに初期化することで、さらに起動時間の短縮が見込める。
【００６０】
以上、ユーザが初期化指定機能を複数指定しその機能を優先的に初期化する場合を説明した。これにより、見掛けの起動時間を削減した上で、ユーザが装置起動中に使用したい機能を全て利用可能な状態に初期化することが可能となる。
【００６１】
＜その他の実施形態＞
前述の説明では、機能は、装置１００の各構成に１対１で対応するものとして説明しているが、例えば、デジタル放送録画機能としてデジタルチューナー１０９とＨＤＤ１０７を利用する機能群であってもよい。
【００６２】
また、装置の具体例としてＤＶＤドライブおよびハードディスクドライブ付き再生録画機を挙げたが、本発明はＤＶＤドライブおよびハードディスクドライブ付き再生録画機に限定されるものではない。
【００６３】
例えば、プリンタ・スキャナー・ファックス・コピーといった機能を備える複合機や複写機、プリンタ機能を備えたデジタルカメラ、プリンタ機能を備えたＴＶ、といった複数の機能から成る機器すべてに適用可能である。なお、複数の機器（例えばホストコンピュータ、インターフェース機器、リーダ、プリンタ、など）から構成されるシステムに適用してもよい。
【００６４】
また、前記の実施形態では、説明を簡易にするため、各機能間に依存性はないという構成をもとに説明をしたが、機能間に依存性があっても問題はない。例えば機能Ａと機能Ｂがあり、機能Ａの使用（又は初期化）に際して機能Ｂを初期化する必要がある場合、ユーザが機能Ａのみを初期化指定機能として選択しても、機能Ｂが自動的に初期化対象となるようにする。
【００６５】
依存のある機能を自動的に初期化する事により、ユーザの操作が減る効果が得られる。
また、上述した受け付け工程を省略、又は自動化する場合も考えられる。
【００６６】
前述した実施形態の受け付け工程（ステップＳ１０３、Ｓ２０３）でユーザが初期化するように指定した機能（初期化指定機能）もしくは、前回の初期化工程で初期化した機能の情報をＨＤＤ１０７に更新記憶しておく初期化機能記憶工程を設ける。そして、受け付け工程において、初期化指定機能が何も指定されず、初期化された場合、ＨＤＤ１０７に記憶された情報の示す機能を初期化する。説明の簡略のために、前回起動時に初期化した初期化機能の情報を更新記憶する記憶手段としてＨＤＤ１０７を挙げたが、不揮発性の記憶媒体などを記憶手段として別に設ける方が好ましい。
【００６７】
また、受け付け工程を所定時間だけ実施させる設定をしておいて、所定時間（例えば３秒）が経過すると受け付け工程を終了し、自動的に初期化工程（ステップＳ１０４）に移行させてもよい。ただし、所定時間を設ける場合、指定する機能の数によってユーザにとって必要な所定時間が異なる。従って、受け付け延長が装置１００に指示された場合は、所定時間経過後も受け付け工程を続けるようにするのが好ましい。受け付け延長の指示は装置１００の起動前、もしくは起動後に受け付けるようにするとよい。
【００６８】
通常動作として前回と同じ初期化対象を初期化し、ユーザの必要に応じて選択を受け付けるようにしてもよい。この場合、受け付け工程の自動化によって、ユーザの負担が減ると考えられる。
【００６９】
装置起動完了後にユーザが初期化工程で初期化されていない機能を使用する場合は、ユーザが該機能の使用を指示した時に初期化を実施する。
【００７０】
また、システムあるいは装置のＣＰＵ（またはＭＰＵ）が、前述した実施形態のフローに対応するコンピュータ読み取り可能なプログラムコードを記憶した記憶媒体からプログラムコードを読み出し実行する場合も考えられる。
【００７１】
この場合、記憶媒体から読み出されたプログラムコード自体が前述した実施形態の機能を実現することとなり、そのプログラムコードを記憶した記憶媒体は本発明を構成することになる。
【００７２】
さらに、コンピュータに接続された機能拡張ユニットが、記憶媒体からプログラムコードを読み出し、その機能拡張ボードや機能拡張ユニットに備わるＣＰＵなどが前述の実施形態のフローに対応する処理を行う事もできる。
【００７３】
プログラムコードを供給するための記憶媒体としては、例えば、フレキシブルディスク、ハードディスク、光ディスク、光磁気ディスク、ＣＤ−ＲＯＭ、ＣＤ−Ｒ、磁気テープ、不揮発性のメモリカード、ＲＯＭ、ＤＶＤなどを用いることができる。
【図面の簡単な説明】
【００７４】
【図１】本実施形態が制御する装置の概略構成を示すブロック図である。
【図２】本実施形態の起動処理の概略を示すフローチャートである。
【図３】初期化候補機能の選択肢を外部表示器に表示する例を示す図である。
【図４】初期化候補機能の選択肢を装置本体に表示し、外部コントローラから指定する例を示す図である。
【図５】複数の初期化候補を選択可能な場合のフローチャートである。
【図６】複数の初期化候補機能が選択可能な場合で、ユーザインターフェースを外部表示器に表示する例を示す図である。
【図７】複数の初期化候補機能が選択可能な場合で、外部コントローラから操作する例を示す図である。
【符号の説明】
【００７５】
１００  装置
１０１  ＣＰＵ
１０２  ＲＡＭ
１０３  ＲＯＭ
１０４  バス
１０５  入力インターフェース
１０６  出力インターフェース
１０７  ＨＤＤ（記憶装置）
１０８  ＤＶＤドライブ
１０９  デジタルチューナー
１１０  ＦｌａｓｈＲＯＭ
２００  テレビ（外部表示器）
３００  リモコン（外部コントローラ）
【図１】
2008293087.tif 000003
【図２】
2008293087.tif 000004
【図３】
2008293087.tif 000005
【図４】
2008293087.tif 000006
【図５】
2008293087.tif 000007
【図６】
2008293087.tif 000008
【図７】
2008293087.tif 000009